(57)【特許請求の範囲】
【請求項１】
天井面からの突出長が異なる少なくとも２種類の引掛型配線器具に接続可能な照明器具であって、
前記引掛型配線器具に接続される引掛端子を上部に有し、下部には略筒状のランプ取付口を有するランプソケットと、
前記ランプ取付口の外側に取り付けられる略筒状のホルダナットと、
前記ホルダナットに支持されて天井面との間に取り付けられるレセップカバーとを備え、
前記ランプ取付口の外周面と前記ホルダナットの内周面には互いに螺合しうる雄ネジ部と雌ネジ部がそれぞれ設けられ、前記ホルダナットが前記ランプ取付口に対する取付方向を上下反転して螺合しうるように形成されるとともに、
前記ホルダナットの軸長における中間点から一端側に偏った位置の外周面に鍔状リブが設けられ、この鍔状リブがホルダナットの取付方向に応じて異なる高さでレセップカバーの下縁部を支持しうるように形成されて、
前記引掛型配線器具の種類に応じて前記ホルダナットの取付方向を選択することにより、前記ランプ取付口と前記ホルダナットとの相対位置が一定に保持され、かつ、前記レセップカバーと天井面との相対位置が一定に保持されることを特徴とする照明器具。
【発明の詳細な説明】
【０００１】
【発明の属する技術分野】
本発明は、天井に設けられた引掛型配線器具に取り付け可能な、いわゆるレセップ型の照明器具に関する。
【０００２】
【従来の技術】
白熱灯シーリング型照明器具のうち、レセップ型（あるいはレセプタクル型）と称されるものは、一口のランプ取付口を有する接続端子一体型のランプソケットを逆スカート状ないし逆円錐台形状のレセップカバーで被覆して、ランプを露出させた形態の照明器具である。この照明器具は、構造が簡易で安価であることから、主に狭小空間用の小型照明器具として幅広く利用されている。
【０００３】
この種の照明器具においては、天井に引き出された配線に直接、接続できる速結端子か、予め天井に取り付けられた引掛シーリングや引掛埋込ローゼット（以下、これらを「引掛型配線器具」と総称する。）に着脱可能な引掛端子が、ランプソケットの上部に設けられる。しかし、速結端子を有するタイプは、その取り付けに電気工事資格を要するため、安価な照明器具でありながら家電店での一般販売にそぐわないという事情があった。他方、引掛端子を有するタイプは、取り付けが容易で家電店での一般販売にも適するものの、引掛シーリングと引掛埋込ローゼットとの間で天井面からの突出長が異なるために、それぞれの突出長に合わせて２種類のレセップカバーを用意する必要があった。
【０００４】
そこで、引掛端子を有するレセップ型照明器具について、引掛型配線器具の突出長が異なる場合でも部品の共用を可能にする技術が、実開昭５８−５９１０７号公報に提案されている。図９〜図１０に示すように、この照明器具９は、上部に引掛端子９１を有する接続端子一体型のランプソケット９２と、ランプソケット９２を被覆する逆円錐台形状の筒カバー９３と、筒カバー９３とは別体に形成された逆皿状の台カバー９４とを備えている。筒カバー９３の上部は、台カバー９４の底面に形成された垂下筒部９５内に挿入され、ランプソケット９２に鍔部９６を設けて遊挿されたコイルバネ９７によって、台カバー９４が天井面Ａに対し弾性的に押し付けられるように構成されている。
【０００５】
この構成によれば、台カバー９４が、ランプソケット９２及び筒カバー９３に対しコイルバネ９７を介して支持されるので、台カバー９４の垂下筒部９５に対する筒カバー９３の挿入深さが一定の範囲（コイルバネ９７の有効ストローク）内で可変となる。したがって、天井面Ａからの突出長が小さい引掛埋込ローゼットＢ１（図９）に取り付ける場合は前記挿入深さが深くなり、突出長の大きい角形引掛シーリングＢ２（図１０）に取り付ける場合は前記挿入深さが浅くなって、引掛型配線器具の突出長の差を吸収することができる。
【０００６】
【発明が解決しようとする課題】
前記従来の技術に係る照明器具９は、共通の部品で引掛型配線器具の突出長の差を吸収しうるように構成されてはいるものの、コイルバネ９７を用いるために構造や部品形状がやや複雑になる。このタイプの照明器具には特に安価であることが求められることに鑑みると、構造や部品形状の複雑さがもたらす製造コストの上昇は、商品としてのセールスポイントを大きく損なうおそれがある。
【０００７】
そこで本発明は、引掛型配線器具の突出長が異なる場合でも部品を共用しうるレセップ型の照明器具として、前記従来のものよりもさらに簡素で安価な構造の照明器具を提供することを解決課題とする。
【０００８】
【課題を解決するための手段】
本発明の構成は、天井面からの突出長が異なる少なくとも２種類の引掛型配線器具に接続可能な照明器具であって、前記引掛型配線器具に接続される引掛端子を上部に有し、下部には略筒状のランプ取付口を有するランプソケットと、前記ランプ取付口の外側に取り付けられる略筒状のホルダナットと、前記ホルダナットに支持されて天井面との間に取り付けられるレセップカバーとを備え、前記ランプ取付口の外周面と前記ホルダナットの内周面には互いに螺合しうる雄ネジ部と雌ネジ部がそれぞれ設けられ、前記ホルダナットが前記ランプ取付口に対する取付方向を上下反転して螺合しうるように形成されるとともに、前記ホルダナットの軸長における中間点から一端側に偏った位置の外周面に鍔状リブが設けられ、この鍔状リブがホルダナットの取付方向に応じて異なる高さでレセップカバーの下縁部を支持しうるように形成されて、前記引掛型配線器具の種類に応じて前記ホルダナットの取付方向を選択することにより、前記ランプ取付口と前記ホルダナットとの相対位置が一定に保持され、かつ、前記レセップカバーと天井面との相対位置が一定に保持されることを特徴とする。
【０００９】
すなわちこの発明は、引掛端子とランプ取付口とを備えた一体型のランプソケットを、天井面からの突出長が異なる引掛型配線器具に接続した場合、ランプ取付口の取付位置が前記突出長の差だけ上下方向に変位するので、この差をホルダナットによって吸収しようとするものである。ホルダナットはランプソケットのランプ取付口に螺合される略筒状の部品で、このホルダナットの外周面に設けられた鍔状リブがレセップカバーの下縁部を支持して、レセップカバーを天井面に当接させる。そこで、このホルダナットを上下反転可能に形成するとともに、レセップカバーを支持するための鍔状リブをホルダナットの軸長における中間点から一端側に偏った位置に設け、引掛型配線器具の突出長に応じてホルダナットの取付方向を選択できるようにした。この構成によれば、ホルダナットを反転するとランプ取付口に対する鍔状リブの相対位置も変位するが、その差分寸法を引掛型配線器具の突出長の差分寸法に一致させることで、引掛型配線器具の種類によるランプソケットの上下変位を吸収することができる。したがって、引掛型配線器具の種類にかかわらず、レセップカバーを常時、天井面に当接させることができると同時に、ランプソケットのランプ取付口に対してもホルダナットを常時、一定の位置に取り付けることができる。
【００１２】
【発明の実施の形態】
以下、本発明の実施の形態について、図面を参照しつつ説明する。
【００１３】
＜第１実施形態＞
図１及び図２は、本発明の第１実施形態にかかる照明器具１０を示している。この照明器具１０を取り付けるための引掛型配線器具は、天井面からの突出長が小さい半埋込型と、突出長が大きい露出型とに大別されるが、前者の一例として引掛埋込ローゼットＢ１に取り付けた状態を図１に示し、後者の一例として角形引掛シーリングＢ２に取り付けた状態を図２に示す。ちなみに、引掛埋込ローゼットＢ１と角形引掛シーリングＢ２との突出長の差は約１０ｍｍ程度である。
【００１４】
この照明器具１０は、接続端子一体型のランプソケット２０と、ランプソケット２０に取り付けられる略筒状のホルダナット３０と、ホルダナット３０によって天井面Ａとの間に支持される逆スカート状のレセップカバー４０によって構成される。なお、例示の形態では、ランプソケット２０にボール型のランプ５０が取り付けられているが、本発明ではランプ５０自体の種類や形状は特に限定しない。
【００１５】
ランプソケット２０は、一対の栓刃からなる引掛端子２０ａを上部に有し、下部には下向きに開口したランプ取付口２０ｂを有している。これら引掛端子２０ａとランプ取付口２０ｂとは、中間のネック部２０ｃを介して一体に成形されている。ランプ取付口２０ｂは略筒状で、その外周面には雄ネジ部が形成されている。ただし、ランプ取付口２０ｂの外形は、図示のように相対する２箇所に肉削ぎ平面部２０ｄを形成したものであってもよい。
【００１６】
ホルダナット３０は、内周面に雌ネジ部が形成されて、ランプソケット２０のランプ取付口２０ｂに螺合されるようになっている。このホルダナット３０は、上下両端が開口し、かつ内外径も一様であるため、ランプ取付口２０ｂに対する取付方向を上下反転することができる。なお、図示は省略するが、このホルダナット３０の外周面には、螺合時の滑り止めとして、各種形状のローレット加工、あるいはこれに類する適宜の起伏加工が施されていてもよい。
【００１７】
ホルダナット３０の外周面には鍔状リブ３０ａが形成され、この鍔状リブ３０ａがレセップカバー４０の下縁部を支持しうるようになっている。鍔状リブ３０ａは、ホルダナット３０の軸長における中間点からいずれか一端側に偏った位置に配置されている。より詳細には、鍔状リブ３０ａからホルダナット３０の一端までの寸法と他端までの寸法との差が、前記した引掛埋込ローゼットＢ１と角形引掛シーリングＢ２の突出長の差と実質的に等しくなるように設計されている。
【００１８】
レセップカバー４０は、ランプソケット２０及び引掛型配線器具Ｂ（Ｂ１，Ｂ２）を被覆しうるように形成された単純な回転体形状の部品である。レセップカバー４０の下縁部は、ホルダナット３０の外側に挿装されて鍔状リブ３０ａに係止される大きさに開口している。また、レセップカバー４０の上縁部は、引掛型配線器具Ｂ（Ｂ１，Ｂ２）の中でも特に外径の大きい引掛埋込ローゼットＢ１を被覆しうる大きさに開口している。このレセップカバー４０をホルダナット３０に被せて、ホルダナット３０をランプ取付口２０ｂに螺合することにより、レセップカバー４０が天井面Ａに押し当てられた状態で保持される。このとき、回転するのはホルダナット３０のみであり、レセップカバー４０は天井面Ａに対して回転しないので、レセップカバー４０と天井面Ａとの接触摩擦による天井面Ａの損傷はとくに生じない。
【００１９】
このように構成された照明器具１０を、天井面Ａからの突出長が異なる引掛型配線器具Ｂ（Ｂ１，Ｂ２）に接続するには、ホルダナット３０の取付方向を以下のように選択する。
【００２０】
まず、引掛埋込ローゼットＢ１に取り付ける場合（図１）は、天井面Ａからの突出長が小さい分だけランプソケット２０の位置が高くなるので、ホルダナット３０を、鍔状リブ３０ａが下側になるようにして取り付ける。すると、ホルダナット３０に対してレセップカバー４０が深く被さり、ホルダナット３０の位置が高くなる。これにより、ランプ取付口２０ｂとホルダナット３０との下端部が揃うので、ランプ取付口２０ｂにランプ５０を適正に取り付けることができる。
【００２１】
引掛埋込ローゼットＢ１への取り付けに際して、ホルダナット３０の取付方向を誤った場合の取付状態を図３に示す。ホルダナット３０を、図示のように、鍔状リブ３０ａが上側になるようにして取り付けると、ホルダナット３０に対してレセップカバー４０が浅く被さることになり、ホルダナット３０の位置が適正位置よりも低くなる。この状態でもレセップカバー４０は天井面Ａに当接して安定的に保持されるが、ホルダナット３０がランプ取付口２０ｂの下縁部よりも下方に突出してしまうので、ランプ取付口２０ｂに対してランプ５０を適正に取り付けることができなくなる。これにより、取付作業者は、ホルダナット３０の取付方向が誤っていることを即座に確認することができる。
【００２２】
次に、角形引掛シーリングＢ２に取り付ける場合（図２）は、天井面Ａからの突出長が大きい分だけランプソケット２０の位置が図１の状態よりも低くなるので、ホルダナット３０を、鍔状リブ３０ａが上側になるようにして取り付ける。すると、ホルダナット３０に対してレセップカバー４０が浅く被さり、ホルダナット３０の位置も低くなる。これにより、ランプ取付口２０ｂとホルダナット３０との下端部が揃うので、ランプ取付口２０ｂにランプ５０を適正に取り付けることができる。
【００２３】
角形引掛シーリングＢ２への取り付けに際して、ホルダナット３０の取付方向を誤った場合の取付状態を図４に示す。ホルダナット３０を、図示のように、鍔状リブ３０ａが下側になるようにして取り付けると、ホルダナット３０に対してレセップカバー４０が深く被さる。すると、ホルダナット３０の位置を適正位置よりも高くせざるをえず、ランプ取付口２０ｂがホルダナット３０の下縁部よりも下方に突出してしまう。この状態でもレセップカバー４０は天井面Ａに当接して安定的に保持され、また、ランプ取付口２０ｂに対するランプ５０の取り付けも可能となるが、ランプ取付口２０ｂの外周面に形成された雄ネジ部の一部が露出するので、外観が悪くなる。これにより、取付作業者は、ホルダナット３０の取付方向が誤っていることを即座に確認することができる。
【００２４】
このように、本発明の照明器具１０は、共通化された部品のひとつであるホルダナット３０を取り付け時に反転させるだけで、天井面Ａからの突出長が異なる引掛型配線器具Ｂ（Ｂ１，Ｂ２）に対しても極めて容易に取り付けることができる。また、ホルダナット３０の取付方向が誤っている場合には、取付作業者が即座に確認できるという特長も有している。
【００２５】
＜第２実施形態＞
図５及び図６は、本発明の第２実施形態にかかる照明器具１１を示している。図５は、この照明器具１１を引掛埋込ローゼットＢ１に取り付けた状態を示し、図６は、角形引掛シーリングＢ２に取り付けた状態を示す。
【００２６】
この実施形態にかかる照明器具１１は、前記第１実施形態にかかる照明器具１０との比較において、ホルダナットと、これに係合するレセップカバーの下縁部の形状とが相違している。そこで、前記第１実施形態と共通する部品・部位には同一の名称及び符号を付して詳細な説明を省略し、相違点についてのみ詳述する。
【００２７】
この実施形態におけるホルダナット３１は、前記第１実施形態におけるホルダナット３０と同様に、ランプソケット２０のランプ取付口２０ｂに対して上下反転自在に取り付けられる。ただし、このホルダナット３１は、前記第１実施形態におけるホルダナット３０よりも軸長が短く形成され、その一端に鍔状リブ３１ａが配置されている。そして、鍔状リブ３１ａからホルダナット３１の他端までの寸法が、引掛埋込ローゼットＢ１と角形引掛シーリングＢ２の突出長の差と実質的に等しくなるように設計されている。
【００２８】
また、この実施形態におけるレセップカバー４１は、前記第１実施形態におけるレセップカバー４０と同様に、ランプソケット２０及び引掛型配線器具Ｂ（Ｂ１，Ｂ２）を被覆しうるように形成された単純な回転体形状の部品である。ただし、このレセップカバー４１の下縁部には、ホルダナット３１の鍔状リブ３１ａに外側から係合しうる断面略Ｌ字形の襟口部４１ａが形成されている。
【００２９】
この照明器具１１も、前記第１実施形態にかかる照明器具１０と同様に、引掛型配線器具Ｂ（Ｂ１，Ｂ２）の天井面Ａからの突出長に応じて、ホルダナット３１の取付方向が以下のように選択される。
【００３０】
すなわち、天井面Ａからの突出長が小さい引掛埋込ローゼットＢ１に取り付ける場合（図５）は、ホルダナット３１を、鍔状リブ３１ａが下側になるようにして取り付け、ホルダナット３１の位置を高くする。また、天井面Ａからの突出長が大きい角形引掛シーリングＢ２に取り付ける場合（図６）は、ホルダナット３１を、鍔状リブ３１ａが上側になるようにして取り付け、ホルダナット３１の位置を低くする。これにより、それぞれの場合において、ランプ取付口２０ｂとホルダナット３１との下端部を揃え、かつレセップカバー４１を天井面Ａに当接させて安定的に保持することができる。
【００３１】
レセップカバー４１の下縁部に設けられた襟口部４１ａは、鍔状リブ３１ａを上側に向けた状態（図６）のホルダナット３１に対して、レセップカバー４１がずれないように係合させるためのものである。したがって、ホルダナット３１とレセップカバー４１とが互いに回転可能に係合しうる限り、襟口部４１ａの断面形状は、特に断面略Ｌ字形に限定されるものではない。また、レセップカバー４１の下縁部を前記前記第１実施形態と同様の単純な筒口形状として、ホルダナット３１側に、鍔状リブ３１ａの外周縁から上下方向に張り出すような襟口部（図示せず）を形成することもできる。
【００３２】
＜第３実施形態＞
図７及び図８は、参考形態としての第３実施形態にかかる照明器具１２を示している。図７は、この照明器具１２を引掛埋込ローゼットＢ１に取り付けた状態を示し、図８は、角形引掛シーリングＢ２に取り付けた状態を示す。
【００３３】
この実施形態にかかる照明器具１２は、前記第１・第２実施形態におけるホルダナット３０，３１に代えて、レセップカバー４２と天井面Ａとの間に上下反転自在のスペーサ６０を挟み込み、引掛型配線器具Ｂ（Ｂ１，Ｂ２）の種類による突出長の差を、このスペーサ６０の取付方向によって吸収するように構成されている。なお、この実施形態におけるランプソケットは、前記第１・第２実施形態におけるランプソケット２０と共通なので、各部に同一の符号を付して詳細な説明は省略する。
【００３４】
この照明器具１２のレセップカバー４２は、下部が略筒状で、その内周面に雌ネジ部が形成され、この雌ネジ部をランプソケット２０のランプ取付口２０ｂに直接、螺合させて取り付けられる。レセップカバー４２をランプソケット２０に対して適正に取り付けたとき、レセップカバー４２とランプソケット２０とは、互いの下縁部がほぼ揃うように形成されている。
【００３５】
スペーサ６０は、レセップカバー４２の上縁部の外側に挿装しうる大きさに形成された略筒状の部品で、上下両端が開口している。スペーサ６０の内周面には鍔状リブ６０ａが形成され、この鍔状リブ６０ａがレセップカバー４２の上縁部に係止して支持されるようになっている。鍔状リブ６０ａは、スペーサ６０の軸長における中間点からいずれか一端側に偏った位置に配置されている。より詳細には、鍔状リブ６０ａからスペーサ６０の一端までの寸法と他端までの寸法との差が、引掛埋込ローゼットＢ１と角形引掛シーリングＢ２の突出長の差と実質的に等しくなるように設計されている。
【００３６】
この照明器具１２を、天井面Ａからの突出長が異なる引掛型配線器具Ｂ（Ｂ１，Ｂ２）に接続するに際しては、スペーサ６０の取付方向を以下のように選択する。
【００３７】
まず、引掛埋込ローゼットＢ１に取り付ける場合（図７）は、天井面Ａからの突出長が小さい分だけランプソケット２０の位置が高くなり、したがってこのランプソケット２０に取り付けられるレセップカバー４２と天井面Ａとの隙間が小さくなる。そこで、スペーサ６０を、鍔状リブ６０ａが上側になるようにして取り付ける。すると、レセップカバー４２に対してスペーサ６０が深く被さり、レセップカバー４２が天井面Ａに接近した状態で適正に保持されるとともに、レセップカバー４２とランプソケット２０の互いの下縁部も揃うことになる。
【００３８】
もし、ここでスペーサ６０を、鍔状リブ６０ａが下側になるようにして取り付けると、レセップカバー４２をランプソケット２０に対して適正位置まで螺合することができず、レセップカバー４２の下部がランプ取付口２０ｂの下縁部よりも下方に突出してしまう。すると、ランプ取付口２０ｂにランプ５０を適正に取り付けることができなくなるので、取付作業者は、スペーサ６０の取付方向が誤っていることを即座に確認することができる。
【００３９】
また、角形引掛シーリングＢ２に取り付ける場合（図８）は、天井面Ａからの突出長が大きい分だけランプソケット２０の位置が低くなり、したがってこのランプソケット２０に取り付けられるレセップカバー４２と天井面Ａとの隙間が大きくなる。そこで、スペーサ６０を、鍔状リブ６０ａが下側になるようにして取り付ける。すると、レセップカバー４２に対してスペーサ６０が浅く被さり、レセップカバー４２が図７よりも天井面Ａから離れた状態で保持されるとともに、レセップカバー４２とランプソケット２０の互いの下縁部も揃うことになる。
【００４０】
もし、ここでスペーサ６０を、鍔状リブ６０ａが上側になるようにして取り付けると、レセップカバー４２をランプソケット２０に対して適正位置よりもさらに上方まで螺合しなければならなくなり、レセップカバー４２の下方にランプ取付口２０ｂの雄ネジ部が突出してしまう。すると、取付作業者は、その外観を見て、スペーサ６０の取付方向が誤っていることを即座に確認することができる。
【００４１】
このように、レセップカバー４２と天井面Ａとの間に上下反転自在のスペーサ６０を挟み込む構成によっても、スペーサ６０を反転させるだけで、天井面Ａからの突出長が異なる引掛型配線器具Ｂ（Ｂ１，Ｂ２）に対して極めて容易に取り付けることができる。
【００４２】
なお、この発明においては、スペーサ６０をレセップカバー４２の内側に挿装しうる大きさに形成して、鍔状リブ６０ａをスペーサ６０の外周面に形成することも可能である。
【００４３】
ところで、この発明に類似する構成としては、天井面Ａからの突出長が小さい引掛埋込ローゼットＢ１に取り付ける場合はスペーサ６０を使用せず、レセップカバー４２を直接、天井面Ａに当接させるように形成し、天井面Ａからの突出長が大きい角形引掛シーリングＢ２に対してのみスペーサ６０を介在させる、という構成も考えられる。しかし、そのような構成では、引掛埋込ローゼットＢ１に対してはスペーサ６０が不要部品となって、コスト増や廃棄物の問題を招くので、家電店でのセット販売等に適さない。これに対し本参考形態に係る照明器具は、いずれの引掛型配線器具Ｂ（Ｂ１，Ｂ２）に対してもスペーサ６０を使用するので、部品が無駄なく共通化されるとともに、引掛型配線器具Ｂ（Ｂ１，Ｂ２）の突出長が異なる場合でも外観の統一感が得られやすくなる。
【００４４】
以上の説明では、天井面Ａからの突出長が異なる引掛型配線器具Ｂの代表例として引掛埋込ローゼットＢ１及び角形引掛シーリングＢ２を挙げ、それらに対する取付構造を例示したが、本発明の照明器具は、前記した２種類以外の引掛型配線器具に対しても実施しうることは勿論である。また、反転自在のホルダナットを介して取付面との間隔を調整するという本発明の構成は、いわゆるレセップ型の照明器具だけでなく、これに準じた構造の小型照明器具や、簡易な設備機器類にも適用しうるものである。
【００４５】
【発明の効果】
本発明の照明器具によれば、引掛型配線器具の種類に応じてランプソケットの取付位置が上下方向に変位しても、ランプソケットとレセップカバーとの間に配置された上下反転可能なホルダナットを介して、前記上下方向の変位が吸収される。したがって、各部品が適正に、かつ外観的にも良好に取り付けられるとともに、ランプソケットのランプ取付口にもランプを適正に取り付けることができる。
【００４６】
また、構成部品が引掛型配線器具の種類を限定しないように共通化され、さらに各構成部品の構造が簡素になるので、安価で提供することができる。加えて、引掛型配線器具の種類によって不要部品が発生するようなこともないので、資源や環境の保護にも寄与する。
【００４７】
そして、ホルダナットを利用する構成（請求項１）では、レセップカバーにネジ部その他の複雑な構造を設ける必要がなく、レセップカバーを単純な回転体形状とすることができる。したがって、照明器具としての外観的印象を大きく左右するレセップカバーを、プラスチックだけでなく、ガラス、金属、陶磁器、木質材など多様な素材によって安価に製造することが可能になる。
【図面の簡単な説明】
【図１】本発明の第１実施形態にかかる照明器具が引掛埋込ローゼットに取り付けられた状態を示す部分断面図である。
【図２】本発明の第１実施形態にかかる照明器具が角形引掛シーリングに取り付けられた状態を示す部分断面図である。
【図３】本発明の第１実施形態にかかる照明器具が引掛埋込ローゼットに対して誤った状態で取り付けられたときの部分断面図である。
【図４】本発明の第１実施形態にかかる照明器具が角形引掛シーリングに対して誤った状態で取り付けられたときの部分断面図である。
【図５】本発明の第２実施形態にかかる照明器具が引掛埋込ローゼットに取り付けられた状態を示す部分断面図である。
【図６】本発明の第２実施形態にかかる照明器具が角形引掛シーリングに取り付けられた状態を示す部分断面図である。
【図７】  参考形態としての第３実施形態にかかる照明器具が引掛埋込ローゼットに取り付けられた状態を示す部分断面図である。
【図８】  参考形態としての第３実施形態にかかる照明器具が角形引掛シーリングに取り付けられた状態を示す部分断面図である。
【図９】従来の技術にかかる照明器具が引掛埋込ローゼットに取り付けられた状態を示す部分断面図である。
【図１０】従来の技術にかかる照明器具が角形引掛シーリングに取り付けられた状態を示す部分断面図である。
【符号の説明】
１０    照明器具
１１    照明器具
１２    照明器具
２０    ランプソケット
２０ａ  引掛端子
２０ｂ  ランプ取付口
３０    ホルダナット
３０ａ  鍔状リブ
３１    ホルダナット
３１ａ  鍔状リブ
４０    レセップカバー
４１    レセップカバー
４２    レセップカバー
５０    ランプ
６０    スペーサ
６０ａ  鍔状リブ
Ａ      天井面
Ｂ      引掛型配線器具
Ｂ１    引掛埋込ローゼット
Ｂ２    角形引掛シーリング
【図１】
0004237976.tif 000002
【図２】
0004237976.tif 000003
【図３】
0004237976.tif 000004
【図４】
0004237976.tif 000005
【図５】
0004237976.tif 000006
【図６】
0004237976.tif 000007
【図７】
0004237976.tif 000008
【図８】
0004237976.tif 000009
【図９】
0004237976.tif 000010
【図１０】
0004237976.tif 000011